(57)【特許請求の範囲】
【請求項１】
クロック同期された２つのＮＲＺ信号とクロック信号を別々の光伝送路を用いて伝送する光送信部と、伝送された各信号を受信する光受信部とを備えた多重化光伝送装置であって、
前記光送信部は、第１のＮＲＺ信号をクロック信号との論理積により第１のＲＺ信号に変換する手段と、第２のＮＲＺ信号を前記クロック信号の反転信号との論理積により第２のＲＺ信号に変換する手段と、前記クロック信号を光に変換して第１の光伝送路により光伝送する手段と、第１のＲＺ信号と第２のＲＺ信号を光に変換した後に合成して得られる合成信号を第２の光伝送路により光伝送する手段とを有してなり、
前記光受信部は、前記光伝送されたクロック信号を電気信号に変換する手段と、前記光伝送された合成信号を電気信号に変換する手段と、前記変換された合成信号と前記変換されたクロック信号との論理積により第１のＲＺ信号を抽出する手段と、前記変換された合成信号と前記変換されたクロック信号の反転信号との論理積により第２のＲＺ信号を抽出する手段と、前記抽出された第１及び第２のＲＺ信号をそれぞれＮＲＺ信号への変換と位相調整を行って前記２つのＮＲＺ信号を再生する手段とを有してなることを特徴とする多重化光伝送装置。
【請求項２】
クロック同期された２つのＮＲＺ信号とクロック信号を別々の光伝送路を用いて伝送する光送信部と、伝送された各信号を受信する光受信部とを備えた多重化光伝送装置であって、
前記光送信部は、第１のＮＲＺ信号をクロック信号との論理積により第１のＲＺ信号に変換する手段と、第２のＮＲＺ信号を前記クロック信号の反転信号との論理積により第２のＲＺ信号に変換する手段と、前記クロック信号を光に変換して第１の光伝送路により光伝送する手段と、第１及のＲＺ信号と第２のＲＺ信号を光に変換した後に合成して得られる合成信号を第２の光伝送路により光伝送する手段とを有してなり、
前記光受信部は、前記光伝送されたクロック信号を電気信号に変換する手段と、前記光伝送された合成信号を電気信号に変換する手段と、前記電気信号に変換された合成信号に対し、前記電気信号に変換されたクロック信号を該クロック信号の１／４周期シフトした信号のパルスエッジをトリガーとして識別再生を行い、前記パルスエッジの立ち上がりと立ち下りの識別結果を分離出力して前記２つのＮＲＺ信号を再生する手段とを有してなることを特徴とする多重化光伝送装置。
【請求項３】
前記光送信部には、第１のＲＺ信号により駆動される第１の発光素子と第２のＲＺ信号により駆動される第２の発光素子が設けられ、第１の発光素子の発する第１の光信号と第２の発光素子の発する第２の光信号を１つの光伝送路に入力して光伝送することを特徴とする請求項１又は２記載の多重化光伝送装置。
【請求項４】
前記光伝送路は、マルチモード光ファイバであることを特徴とする請求項１又は２記載の多重化光伝送装置。
【発明の詳細な説明】
【０００１】
【発明の属する技術分野】
本発明は、比較的短距離の高速配線を光伝送により行う光配線装置に係わり、特に複数の信号に対し一つの光伝送路で光配線するようにした多重化光配線装置に関する。
【０００２】
【従来の技術】
近年、バイポーラトランジスタや電界効果トランジスタ等の電子デバイスの性能向上に伴い電気配線の限界が問題となっており、この電気配線に代わるものとして、ＬＳＩ間やプリント基板間を光で接続する光配線が提案されている。光配線の特徴は、信号伝送路が直流から数十ＧＨｚ以上の周波数領域で損失などの周波数依存性が殆ど無く、また、電磁障害や接地電位変動雑音が無いため高速配線が容易なことにある。図１２に、従来の光配線装置の一例を示す。
【０００３】
図１２において、１は光送信部、６は光受信部、４は光伝送路（光ファイバなど）、２は発光素子駆動回路、３は発光素子（半導体レーザなど）、７は受光素子（ｐｉｎフォトダイオードなど）、８は電流電圧変換器（トランスインピーダンスアンプなど）、９は識別回路（デジタル再生器）であり、ここでは複数信号を複数の光伝送路により配線する並列光配線の例を示している。
【０００４】
このような光配線装置では、各光配線チャネルに数Ｇｂｐｓの信号を割り当てることが可能であり、その光配線チャネル数倍の信号が総配線容量として配線可能である。例えば、光配線チャネル当たりのデータ容量を５Ｇｂｐｓとし、光配線チャネル数を３２ｃｈとすれば、総配線容量として１６０Ｇｂｐｓ（２０ＧＢｐｓ：Ｂはバイト単位を示す）といった非常に大容量の配線が可能になる。
【０００５】
図１３は、図１２で示したような光配線装置で配線される信号の例を模式的に示したものであり、各光配線チャネルを通る信号波形を表す。図１３において、ＣＬＫはクロック波形、Ｄａｔａ１からＤａｔａ４は各データ波形を表している。一般に、デジタルＬＳＩ内部で用いられるデータは、クロック単位で“１”，“０”となる波形を有し、所謂ＮＲＺ（Non Return to Zero）信号となっているが、クロックは単位期間（１クロック）内で一周期する信号であり、その伝送にはデータチャネルの約２倍の伝送帯域が必要となる。
【０００６】
例えば、前述した光配線チャネル当たり５Ｇｂｐｓの光配線装置の場合、データ信号は基本周波数２．５ＧＨｚで、デジタル波形伝送のため３．５ＧＨｚ程度の伝送帯域が必要となるが、クロック信号は基本周波数が５ＧＨｚであり、デジタル波形伝送のため７ＧＨｚ程度の伝送帯域が必要となる。このため、クロック信号を同時転送する光配線装置においては、クロック信号チャネルの伝送帯域を２倍とする、２つのチャネルを用いて位相の異なる倍周期クロックを転送して合成するなどの手法が用いられてきた。
【０００７】
なお、配線チャネル数の有効利用のためクロック信号の転送を行わず、データ波形からクロック抽出を行う方法もあるが、クロック抽出回路が必要となることや、ＮＲＺ信号からのクロック抽出が困難な場合（長周期データ：“１１１１１・・・”など）もあり、確実な信号配線としてはクロック転送することが望ましい。従って、従来の光配線装置では、並列光配線を行う場合などにクロック信号チャネルの帯域制限に合わせてデータ信号チャネル伝送帯域を設定する必要があった。
【０００８】
一方、図１２に示したような従来の光配線装置においては、データ信号数分の光配線チャネルを用いるため、非常に多数のデータを配線する場合に光配線路が相応の数量を必要とし、配線の肥大化や可撓性が問題となることもあった。また、光配線路当たりの信号容量が、光素子や電子回路の動作帯域で制限されるという限界もあった。
【０００９】
【発明が解決しようとする課題】
このように、従来の光配線装置においては、クロック信号による帯域制限、光配線路の肥大化や可撓性喪失、光配線路当たりの信号帯域が光素子や電子回路の動作帯域により制限されるなどの問題があった。
【００１０】
本発明は、上記事情を考慮して成されたもので、その目的とするところは、光配線チャネルの信号帯域効率化、光配線路当たりの信号容量の拡大を可能とする多重化光配線装置を提供することにある。
【００１１】
【課題を解決するための手段】
（構成）
本発明の骨子は、クロック信号帯域とデータ信号帯域の均等化、光合成の多値信号伝送により、光配線チャネル効率化と光配線路当たりの信号容量拡大を図るものである。
【００１２】
即ち本発明は、クロック同期された複数のＮＲＺ信号をクロック信号と共に光伝送路を用いて伝送する光配線装置であって、前記複数のＮＲＺ信号を２つずつのペアに分け、各々のペア毎にＮＲＺ信号を合成して前記クロック信号とほぼ同じ帯域周波数を有する光信号にし、各々のペアをそれぞれ１つの光伝送路に伝送させることを特徴とする。
【００１３】
また本発明は、クロック同期された２つのＮＲＺ信号に対し、１つの光伝送路を用いて配線する多重化光配線装置であって、
（１）第１のＮＲＺ信号をクロック信号との論理積により第１のＲＺ信号に変換する手段と、第２のＮＲＺ信号を反転クロック信号との論理積により第２のＲＺ信号に変換する手段と、第１及び第２のＲＺ信号を合成して１つの光伝送路により伝送する手段とを具備してなることを特徴とする。
【００１４】
（２）第１のＮＲＺ信号をクロック信号との論理積により変換して得られる第１のＲＺ信号と第２のＮＲＺ信号を反転クロック信号との論理積により変換して得られる第２のＲＺ信号とが合成されて光伝送された合成信号を入力する手段と、前記入力された合成信号と前記クロック信号との論理積により第１のＲＺ信号を抽出する手段と、前記入力された合成信号と前記反転クロック信号との論理積により第２のＲＺ信号を抽出する手段と、前記抽出された第１のＲＺ信号及び第２のＲＺ信号をそれぞれＮＲＺ信号への変換と位相調整を行って２つのＮＲＺ信号を再生する手段とを具備してなることを特徴とする。
【００１５】
（３）第１のＮＲＺ信号をクロック信号との論理積により変換して得られる第１のＲＺ信号と第２のＮＲＺ信号を反転クロック信号との論理積により変換して得られる第２のＲＺ信号とが合成されて光伝送された合成信号を入力する手段と、前記入力された合成信号に対し、１／４周期シフトしたクロック信号のパルスエッジをトリガーとして信号の識別再生を行う手段と、前記クロック信号のパルスエッジの立ち上がりと立ち下りの識別結果を分離することにより前記２つのＮＲＺ信号を再生する手段とを具備してなることを特徴とする多重化光配線装置。
【００１６】
（４）上記の（１）＋（２）の構成を特徴とする。
（５）上記の（１）＋（３）の構成を特徴とする。
【００１７】
また本発明は、クロック同期された２つのデジタル信号に対し、１つの光伝送路を用いて配線する多重化光配線装置であって、
（ａ）第１のデジタル信号による第１の光信号と第２のデジタル信号による第２の光信号との振幅比が１：２又は２：１となるように光信号合成して１つの光伝送路により伝送することを特徴とする。
【００１８】
（ｂ）第１のデジタル信号による第１の光信号と第２のデジタル信号による第２の光信号との振幅比が１：２又は２：１となるように光信号合成されて伝送された合成信号を入力する手段と、前記入力された合成信号に対し、３段階のしきい値からなる判別回路によりデジタル判定を行い、中央しきい値判別結果（Ｂ）を第１（又は第２）のデジタル信号、下部しきい値判別結果（Ａ）及び中央しきい値判別結果（Ｂ）否定値の論理積と上部しきい値判別結果（Ｃ）との論理和、又は（Ａ−Ｂ）＋Ｃの論理演算値を第２（又は第１）のデジタル信号として再生する手段とを具備してなることを特徴とする。
【００１９】
（ｃ）上記の（ａ）＋（ｂ）の構成を特徴とする。
【００２０】
（作用）
本発明によれば、クロック信号の同時転送を行う並列光配線において、各データチャネルがクロックチャネルと同等信号帯域、即ち従来の２倍の信号配線容量を持たせることができるため、光配線路のデータ配線容量がクロック信号帯域で制限されることなく最大化可能になる。また、電子回路や光素子の動作帯域負担が従来技術と同等でありながら、多値信号による配線容量の倍レート化が可能であり、光配線チャネル当たりの信号容量を２倍若しくは４倍に拡大可能である。
【００２１】
【発明の実施の形態】
以下、本発明の詳細を図示の実施形態によって説明する。
【００２２】
（第１の実施形態）
図１は、本発明の第１の実施形態を示す概略構成図であり、多重化光配線装置の光送信部を示している。図中、１０は光送信部、１１，１２は発光素子駆動回路、１３は半導体レーザなどの発光素子、２０は光ファイバなどの光配線路（光伝送路）であり、発光素子駆動回路１１は１つの入力（クロック）に応じた駆動を行い、発光素子駆動回路１２は２つの入力（データ）の論理積（ＡＮＤ）に応じた駆動を行うようになっている。また、ＣＬＫはクロック入力、Ｄａｔａ１からＤａｔａ４は入力データ、ＯＣＬＫは光クロック信号、ＯＣＨＡ，ＯＣＨＢは光データ信号である。入力データは実際には数十個あるが、説明を簡単にするために図では４つを示している。
【００２３】
ここでは、各入力データとクロック信号、又は各入力データと反転クロックとの論理積信号で光素子を駆動し、光配線路にクロック論理積信号と反転クロック論理積信号をペアで入力している。従って、各光配線信号は２つの入力データが多重化されている。この動作内容を、図２により説明する。
【００２４】
図２は、図１に示した光送信部１０における動作状況を表すタイムチャートであり、横軸は時間である。図２において、ＣＬＫ＋はクロック信号、ＣＬＫ−は反転クロック信号であり、実際にはＣＬＫ−は図１の発光素子駆動回路１２（反転入力付き）の中での信号である。
【００２５】
まず、Ｄａｔａ１の信号は発光素子駆動回路１２（反転入力無し）によりクロック信号との論理積値に変換される（駆動波形）。また、Ｄａｔａ２の信号は発光素子駆動回路１２（反転入力付き）により反転クロック信号との論理積値に変換される（駆動波形）。これらの信号（駆動波形）は、クロック周期内で必ず零に戻るＲＺ（Retun to Zero）信号であり、ＲＺ変換された後のＤａｔａ１とＤａｔａ２は、クロック信号の半周期ずれた信号となっている。
【００２６】
これらのＲＺ信号により、各チャネルの発光素子１３が駆動され、それぞれ光のＲＺ信号に変換される。これを１つの光配線路２０（光ファイバなど）に光結合させてやると、各光ＲＺ信号がクロック半周期分ずれているため、光配線路２０内ではＲＺ信号同士の重なりはなく、ＲＺ信号間の境界部にＲＺ信号の過渡応答波形に応じた窪みや膨らみが生じるだけである。
【００２７】
この結果、データ信号がＲＺ信号であることから各発光素子１３の変調帯域はＮＲＺ信号の２倍が必要になるが、本来、クロックチャネルを変調する帯域と同等であることから、無駄に帯域制限していたものを本来の動作能力に見合うようにしただけのこととなる。むしろ、光配線路２０（光配線チャネル）としてみれば、２倍の信号を収容することになり、２本必要だった光配線路２０が１本で済むようになるという、大きな効果が得られる。例えば、従来技術の項で述べた１６０Ｇｂｐｓの例に本実施形態を適用すると、必要光配線路２０は３２ｃｈから１７ｃｈへと激減する。
【００２８】
このように本実施形態の並列光配線装置では、クロックチャネルとデータチャネルが同等帯域で駆動されて帯域の無駄がなくなり、必要となる光配線路数も入力信号数の１／２に１を足した数となって、光配線チャネルの信号伝送効率が大幅に向上できる。図１の実施形態における信号合成部の具体構造としては、図３に示すように２つの発光素子１３を同一基板１５上に作成し、光配線路２０に光結合すればよい。このとき、光配線路２０にマルチモード光ファイバなどを用いれば、２つの発光素子１３の光を余り損なわずに結合可能となる。
【００２９】
次に、図１の光送信部で得られた多重化光信号を元の信号に再生するための光受信部について説明する。基本的には、多重化プロセスの逆過程を取ることで再生が可能となる。図４は、第１の実施形態に係わる多重化光配線装置における光受信部を示す概略構成図である。
【００３０】
図中、２０は光配線路、３０は光受信部、３１はｐｉｎフォトダイオードなどの受光素子、３２はトランスインピーダンスアンプなどの電流電圧変換器、３３は識別器、３４は抽出再生器、３５は３４の抽出再生器分の遅延調整器である。ここで、抽出再生器３４は、複合化された２つのＲＺ信号のうちクロック論理積信号（反転入力無し）と反転クロック論理積信号（反転入力付き）を抽出するものであり、ＲＺ信号をＮＲＺ信号に再生する機能（図示せず）を含む。
【００３１】
クロック論理積信号と反転クロック論理積信号の抽出は、それぞれクロックとの論理積及び反転クロックとの論理積で自動的に抽出可能である。また、ＲＺ信号のＮＲＺ信号への変換は、例えばクロック論理積信号の場合、抽出信号の１／２クロックシフト信号と１クロックシフト信号の合成、反転クロック論理積信号の場合、抽出信号と抽出信号の１／２クロックシフト信号の合成により得られる。このとき、元のクロックタイミングに対して各データは１／２クロックシフトしているため、クロック信号は遅延調整器３５で半周期シフト（例えば反転操作）することで光送信部入力のタイミングを回復できる。
【００３２】
なお、光送信部１０と光受信部３０とは同一基板上に形成されたものであってもよいし、各々が独立した基板に形成されたものであってもよい。光送信部１０と光受信部３０を独立した基板に設けた場合、各々の基板間を比較的短い光ファイバを用いて光結合すればよい。
【００３３】
次に、多重化光信号を元の信号に再生するための光受信部の別の構成例を説明する。図５は、第１の実施形態に係わる多重化光配線装置における光受信部を示す概略構成図である。図中、２０は光配線路、４０は光受信部、３１はｐｉｎフォトダイオードなどの受光素子、３２はトランスインピーダンスアンプなどの電流電圧変換器、３３は識別器、３６はクロックエッジ同期の識別分離器である。
【００３４】
識別器３３で再生されたクロック信号が識別分離器３６に入力され、識別分離器３６は、クロック立ち上がりでの識別信号とクロック立ち下がりでの識別信号を分離出力する。このとき、識別分離器３６の識別タイミングがクロック信号の１／４周期シフト（ＲＺ信号の中央に位置）したタイミングとなるよう、識別器３３の出力、又は識別分離器３６の入力を調整する。クロック立ち上がり又はクロック立ち下がりは、クロック周期毎に入力されるため、次の識別タイミングが来るまで識別分離器３６の出力を保持するようにすれば、自動的にＮＲＺ信号が再生される。また、このとき識別分離された２つのＮＲＺ信号は、互いに１／２クロック位相がずれており、先に識別した信号を識別分離器３６内で１／２クロックシフトすることでデータタイミングの調整が可能である。
【００３５】
なお、図１の例では、２つの発光素子で別々に変調した光信号を後で合成したが、この代わりに、電気段階で２つのＲＺ信号を論理和（ＯＲ）演算（図２の光波形に相当）してから１つの発光素子を変調するようにしてもよい。
【００３６】
（第２の実施形態）
次に、本発明の他の実施形態について説明する。
【００３７】
図６は、本発明の第２の実施形態を示す概略構成図であり、多重化光配線装置の光送信部を示している。図中、６０は光送信部、１１，１６は発光素子駆動回路、１３は半導体レーザなどの発光素子、２０は光ファイバなどの光配線路であり、クロックによる発光素子駆動回路１１及びデータによる発光素子駆動回路１６は共に１つの入力に応じた駆動を行うようになっている。そして、Ｄａｔａ１とＤａｔａ２、Ｄａｔａ３とＤａｔａ４というように２つの光信号を１つの光配線路２０に光結合している。
【００３８】
このとき、１つの光配線路２０に結合する２つの光信号は、信号振幅が１：２又は２：１となるようにする。これには、駆動回路１６の駆動振幅を１：２又は２：１にして光結合効率を一定にする方法と、駆動回路１６の駆動振幅を同一として光結合効率を１：２又は２：１にする方法の２通りが適用できる。前者は、消費電力が最小値であるが、発光素子１３の駆動条件が異なるため光出力波形に差が現れることがある。また後者は、発光素子１３の光出力波形は同一となるが、一方の素子の光が半分廃棄される分、消費電力が多くなる。一般には、高速伝送を目的として光配線するため、後者を用いることが望ましい。このようにして送出した光信号は、光配線路２０内で合成されて４値の光信号となる。これを、図７により説明する。
【００３９】
図７は、図６に示した光送信部における動作状況を表すタイムチャートであり、横軸は時間である。１：２又は２：１の振幅割合で光配線路２０に導入される光信号は、図７中央のように元のデータ波形と相似である。これを合成すると、光は単純な重ね合せ波形となり、２つの光信号が“０”の場合０、振幅１のみが“１”の場合１、振幅２のみが“１”の場合２、両方が“１”の場合３というように、０から３までの４段階の値をとるような４値信号となる。デジタル（２値）演算で表現すれば、“００”から“１１”までの信号に相当し、これは即ち、１ビット期間で２ビットの情報を伝送することに相当し、２倍の信号帯域が得られる。
【００４０】
図６の実施形態における信号合成部の具体構造としては、前記図３に示すように２つの発光素子１３を同一基板１５に作成し、光配線路２０に光結合すればよい。このとき、光配線路２０にマルチモード光ファイバなどを用いれば、２つの発光素子１３の光を余り損なわずに結合可能となり、光結合効率による振幅調整の場合、振幅を２にする発光素子の側に光配線路を偏らせることで光結合効率の調整が可能である。
【００４１】
次に、図６の光送信部で得られた多重化光信号を元の信号に再生するための光受信部について説明する。図８は、第２の実施形態に係わる多重化光配線装置における光受信部を示す概略構成図である。
【００４２】
図中、２０は光配線路、７０は光受信部、３１はｐｉｎフォトダイオードなどの受光素子、３２はトランスインピーダンスアンプなどの電流電圧変換器、３３は識別器、３７は再生演算器、３５は３７の演算再生器分の遅延調整器である。
【００４３】
動作としては、まず、図７の４値光信号をクロック同期させて図７の３つの一転鎖線（下からＶ１，Ｖ２，Ｖ３とする）をしきい値とし２値識別する。このとき、Ｖ２の識別値（Ｂ）は、元の振幅２の信号そのものであり、これを１つの再生信号として出力する。次に、Ｖ１識別値（Ａ）からＶ２識別値を２値演算で減算する（Ａ−Ｂ）、又はＶ１識別値とＶ２識別値の論理否定値（ＮＯＴ）との論理積をとることにより、元の振幅２の信号を排除する。その後、これにＶ３識別値（Ｃ）の論理和（（Ａ−Ｂ）＋Ｃ）を作れば元の振幅１の信号が再生できる。図９に、演算再生器３７の具体的構成例を示す。上記の演算はこのような簡易な論理回路構成で実現することができる。
【００４４】
このように本実施形態によれば、光配線路当たりの信号伝送容量を２倍化することが可能であり、先の第１の実施形態と同様の効果が得られる。しかも、２つのＮＲＺ信号の合成に際して複雑な電子回路を必要とせず、２つの発光素子の光配線路に対する結合割合を考慮するのみで簡易に実現することができる。
【００４５】
また、前述した第１の実施形態と第２の実施形態は組み合わせて適用することも可能である。例えば、図１０に示すように４つの発光素子１３を同一基板１５上に作成し、このとき図１１に示すように菱形状の配置として光結合を行うことで、４つのＲＺ信号を１：２振幅結合し、複合ＲＺ信号の４値多重を行う。即ち、光配線路当たりの信号伝送容量を４倍化することが可能である。
【００４６】
なお、本発明は上述した各実施形態に限定されるものではない。実施形態では、Ｄａｔａ１とＤａｔａ２でそれぞれ発光素子を駆動し、各々の発光素子からの光を光配線路に入力することにより合成したが、２つのＤａｔａを電気信号の状態で合成した後に１つの発光素子を駆動するようにしてもよい。また、信号再生側では光配線路を介して送信側からのクロック信号入力したが、このクロック信号の入力は必ずしも必要としない。入力データにはクロック信号が含まれているため、入力データからクロックを抽出し、これを用いるようにしてもよい。
【００４７】
また、発光素子は半導体レーザに限るものではなく、発光ダイオードを用いることも可能である。同様に、受光素子はｐｉｎフォトダイオードに限るものではなく、ｐｎ接合のフォトダイオードやフォトトランジスタを用いることも可能である。また、光配線路は光ファイバに限るものではなく、基板上に形成した光導波路であってもよい。その他、本発明の要旨を逸脱しない範囲で、種々変形して実施することができる。
【００４８】
【発明の効果】
以上詳述したように本発明によれば、光配線路当たりの信号伝送量を従来の２倍又は４倍とし、大幅な配線容量の向上が可能となる。これにより、小型で超高速のシステムを実現して高速大容量の情報機器や通信機器の大幅な性能向上を促す。即ち、高度情報社会及び産業の発展に大きく寄与するという効果を奏する。
【図面の簡単な説明】
【図１】第１の実施形態に係わる多重化光配線装置の光送信部構成を示すブロック図。
【図２】図１の光送信部における信号変換の様子を示す信号波形図。
【図３】図１の光送信部における信号合成部の具体的構造を示す概略構成図。
【図４】第１の実施形態に係わる多重化光配線装置の光受信部構成を示すブロック図。
【図５】第１の実施形態に係わる多重化光配線装置の光受信部構成の他の例を示すブロック図。
【図６】第２の実施形態に係わる多重化光配線装置の光送信部構成を示すブロック図。
【図７】図６の光送信部における信号変換の様子を示す信号波形図。
【図８】第２の実施形態に係わる多重化光配線装置の光受信部構成を示すブロック図。
【図９】図８の光受信部における演算再生器の具体的構造を示す回路構成図。
【図１０】光送信部における信号合成部の具体的構造を示す概略構成図。
【図１１】光送信部における信号合成部の発光素子の配置例を示す平面図。
【図１２】従来の光配線装置を示す概略構成図。
【図１３】従来の光配線装置における動作を説明するための信号波形図。
【符号の説明】
１０，６０…光送信部
１１…クロック用の発光素子駆動回路
１２，１６…データ用の発光素子駆動回路
１３…発光素子
１５…基板
２０…光配線路
３０，４０，７０…光受信部
３１…受光素子
３２…電流電圧変換器
３３…識別器
３４…抽出再生器
３５…遅延調整器
３６…識別分離器
３７…演算再生器
【図１】
0003788945.tif 000002
【図２】
0003788945.tif 000003
【図３】
0003788945.tif 000004
【図４】
0003788945.tif 000005
【図５】
0003788945.tif 000006
【図６】
0003788945.tif 000007
【図７】
0003788945.tif 000008
【図８】
0003788945.tif 000009
【図９】
0003788945.tif 000010
【図１０】
0003788945.tif 000011
【図１１】
0003788945.tif 000012
【図１２】
0003788945.tif 000013
【図１３】
0003788945.tif 000014